(57)【要約】  本発明はデータを伝送する方法、ネットワーク装置及び端末装置を提供し、該方法は、第１指示情報を生成し、該第１指示情報は、端末装置が複数のアップリンクチャネルにおいて複数のダウンリンクに対応する複数のアップリンク情報を同時に送信すること、又は、端末装置が複数のアップリンクチャネルにおいて時分割多重化方式で該複数のアップリンク情報を送信すること、又は、該端末装置が該複数のアップリンクチャネルのうちの第１アップリンクチャネルにおいて該複数のアップリンク情報を送信することを示すことに用いられることと、該端末装置へ該第１指示情報を送信することと、を含む。本発明の実施例の方法はネットワーク装置が端末装置にアップリンク信号の伝送方式を指示することによって、端末装置の複雑性及び消費電力を効果的に低減することができる。
2020535668.tif 000002
【特許請求の範囲】
【請求項１】
データ伝送方法であって、
第１指示情報を生成し、前記第１指示情報は、端末装置が複数のアップリンクチャネルにおいて複数のダウンリンクに対応する複数のアップリンク情報を同時に送信すること、又は、端末装置が複数のアップリンクチャネルにおいて時分割多重化方式で前記複数のアップリンク情報を送信すること、又は、前記端末装置が前記複数のアップリンクチャネルのうちの第１アップリンクチャネルにおいて前記複数のアップリンク情報を送信することを示すことに用いられることと、
前記端末装置へ前記第１指示情報を送信することと、を含むことを特徴とするデータ伝送方法。
【請求項２】
前記第１指示情報を生成することは、
前記複数のダウンリンクに対応する複数の送受信ポイントＴＲＰ間のインタラクション能力、前記複数のダウンリンクに対応する複数のビーム間のインタラクション能力、前記複数のＴＲＰの属する複数のセル間のインタラクション能力、前記複数のビームの属する複数のセル間のインタラクション能力、前記端末装置の報告情報、前記複数のダウンリンクのサービス情報及びネットワーク負荷情報のうちの少なくとも１つに基づき、前記第１指示情報を生成することを含むことを特徴とする請求項１に記載の方法。
【請求項３】
前記報告情報は、
前記端末装置が前記複数のアップリンクチャネルにおいて前記複数のアップリンク情報を送信することをサポートするかどうかを示すための能力情報、前記端末装置の複数入力複数出力ＭＩＭＯ能力の情報、前記端末装置のレベル情報及び前記端末装置のパワーヘッドルーム報告ＰＨＲのうちの少なくとも１つを含むことを特徴とする請求項２に記載の方法。
【請求項４】
前記端末装置へ前記第１指示情報を送信することは、
前記第１指示情報を含む無線リソース制御ＲＲＣシグナリングを前記端末装置に送信し、又は、前記第１指示情報を含む媒体アクセス制御ＭＡＣコントロールセルＣＥを前記端末装置に送信することを含むことを特徴とする請求項１〜３のいずれか１項に記載の方法。
【請求項５】
前記端末装置へ前記第１指示情報を送信することは、
第１ダウンリンク制御情報ＤＣＩを前記端末装置に送信し、前記第１ダウンリンク制御情報ＤＣＩは前記第１指示情報を含むことを含むことを特徴とする請求項１〜３のいずれか１項に記載の方法。
【請求項６】
前記端末装置へ第１ダウンリンク制御情報ＤＣＩを送信することは、
前記複数のダウンリンクのうちの各ダウンリンクに対応する制御チャネルにおいて、前記端末装置へ前記第１ＤＣＩを送信し、又は、前記複数のダウンリンクのうちの第１ダウンリンクに対応する制御チャネルにおいて、前記端末装置へ前記第１ＤＣＩを送信することを含むことを特徴とする請求項５に記載の方法。
【請求項７】
前記方法は、更に、
前記端末装置から送信された前記複数のアップリンク情報を受信することを含むことを特徴とする請求項１〜６のいずれか１項に記載の方法。
【請求項８】
前記端末装置から送信された前記複数のアップリンク情報を受信することは、
前記第１指示情報が、前記端末装置が前記複数のアップリンクチャネルのうちの第１アップリンクチャネルにおいて前記複数のアップリンク情報を送信することを示すことに用いられる場合、物理アップリンク制御チャネルＰＵＣＣＨにおいて、前記端末装置から送信された前記複数のアップリンク情報を受信し、前記複数のアップリンク情報は前記複数のダウンリンクのうちの各ダウンリンクに対応する肯定応答／否定応答情報、及び／又は、前記複数のダウンリンクのうちの各ダウンリンクに対応するチャネル状態情報ＣＳＩを含むことを含むことを特徴とする請求項７に記載の方法。
【請求項９】
前記端末装置から送信された前記複数のアップリンク情報を受信することは、
前記第１指示情報が、前記端末装置が前記複数のアップリンクチャネルのうちの第１アップリンクチャネルにおいて前記複数のアップリンク情報を送信することを示すことに用いられる場合、物理アップリンク共有チャネルＰＵＳＣＨにおいて、前記端末装置から送信された前記複数のアップリンク情報を受信し、前記複数のアップリンク情報はアップリンクデータを含み、又は、前記複数のアップリンク情報は前記アップリンクデータ、並びに前記複数のダウンリンクのうちの各ダウンリンクに対応する肯定応答／否定応答情報、及び前記複数のダウンリンクのうちの各ダウンリンクに対応するチャネル状態情報ＣＳＩのうちの少なくとも１つを含むことを含むことを特徴とする請求項７に記載の方法。
【請求項１０】
前記端末装置から送信された前記複数のアップリンク情報を受信する前に、前記方法は、更に、
前記端末装置へアップリンクデータのアップリンクグラントＵＬ  ｇｒａｎｔメッセージを送信することを含むことを特徴とする請求項９に記載の方法。
【請求項１１】
前記端末装置へアップリンクデータのアップリンクグラントＵＬ  ｇｒａｎｔメッセージを送信することは、
前記ＵＬ  ｇｒａｎｔメッセージを含む第２ダウンリンク制御情報ＤＣＩを前記端末装置に送信することを含むことを特徴とする請求項１０に記載の方法。
【請求項１２】
前記端末装置へ第２ダウンリンク制御情報ＤＣＩを送信することは、
前記複数のダウンリンクのうちの各ダウンリンクに対応する制御チャネルにおいて、前記端末装置へ前記第２ＤＣＩを送信し、又は、前記複数のダウンリンクのうちの第２ダウンリンクに対応する制御チャネルにおいて、前記端末装置へ前記第２ＤＣＩを送信することを含むことを特徴とする請求項１１に記載の方法。
【請求項１３】
前記端末装置へ第２ダウンリンク制御情報ＤＣＩを送信することは、
前記複数のダウンリンクから少なくとも１つのダウンリンクを選択することと、
前記少なくとも１つのダウンリンクにおいて、前記端末装置へ前記第２ＤＣＩを送信することと、を含むことを特徴とする請求項１１に記載の方法。
【請求項１４】
前記端末装置へ第２ダウンリンク制御情報ＤＣＩを送信する前に、前記方法は、更に、
第２指示情報を生成し、前記第２指示情報は前記端末装置が前記少なくとも１つのダウンリンクにおいて前記第２ＤＣＩを受信することを示すことに用いられることと、
前記端末装置へ前記第２指示情報を送信することと、を含むことを特徴とする請求項１３に記載の方法。
【請求項１５】
前記複数のダウンリンクから少なくとも１つのダウンリンクを選択することは、
前記複数のダウンリンクの品質情報及び／又は負荷情報に基づき、前記複数のダウンリンクから前記少なくとも１つのダウンリンクを選択することを含むことを特徴とする請求項１３又は１４に記載の方法。
【請求項１６】
データ伝送方法であって、
ネットワーク装置から送信された第１指示情報を受信し、前記第１指示情報は、端末装置が複数のアップリンクチャネルにおいて複数のダウンリンクに対応する複数のアップリンク情報を同時に送信すること、又は、端末装置が複数のアップリンクチャネルにおいて時分割多重化方式で前記複数のアップリンク情報を送信すること、又は、前記端末装置が前記複数のアップリンクチャネルのうちの第１アップリンクチャネルにおいて前記複数のアップリンク情報を送信することを示すことに用いられることと、
前記第１指示情報に基づき、前記ネットワーク装置へ前記複数のアップリンク情報を送信することと、を含むことを特徴とするデータ伝送方法。
【請求項１７】
ネットワーク装置から送信された第１指示情報を受信することは、
前記ネットワーク装置から送信された、前記第１指示情報を含む無線リソース制御ＲＲＣシグナリングを受信し、又は、前記ネットワーク装置から送信された、前記第１指示情報を含む媒体アクセス制御ＭＡＣコントロールセルＣＥを受信することを含むことを特徴とする請求項１６に記載の方法。
【請求項１８】
ネットワーク装置から送信された第１指示情報を受信することは、
前記ネットワーク装置から送信された、前記第１指示情報を含む第１ダウンリンク制御情報ＤＣＩを受信することを含むことを特徴とする請求項１７に記載の方法。
【請求項１９】
前記ネットワーク装置から送信された第１ダウンリンク制御情報ＤＣＩを受信することは、
前記複数のダウンリンクのうちのいずれか１つのダウンリンクに対応する制御チャネルにおいて、前記ネットワーク装置から送信された前記第１ＤＣＩを受信し、又は、前記複数のダウンリンクのうちの第１ダウンリンクに対応する制御チャネルにおいて、前記ネットワーク装置から送信された前記第１ＤＣＩを受信することを含むことを特徴とする請求項１８に記載の方法。
【請求項２０】
前記第１指示情報に基づき、前記ネットワーク装置へ前記複数のアップリンク情報を送信することは、
前記第１指示情報が、前記端末装置が前記複数のアップリンクチャネルのうちの第１アップリンクチャネルにおいて前記複数のアップリンク情報を送信することを示すことに用いられる場合、物理アップリンク制御チャネルＰＵＣＣＨにおいて前記複数のアップリンク情報を前記ネットワーク装置に送信し、前記複数のアップリンク情報は前記複数のダウンリンクのうちの各ダウンリンクに対応する肯定応答／否定応答情報、及び／又は、前記複数のダウンリンクのうちの各ダウンリンクに対応するチャネル状態情報ＣＳＩを含むことを含むことを特徴とする請求項１６〜１９のいずれか１項に記載の方法。
【請求項２１】
前記第１指示情報に基づき、前記ネットワーク装置へ前記複数のアップリンク情報を送信することは、
前記第１指示情報が、前記端末装置が前記複数のアップリンクチャネルのうちの第１アップリンクチャネルにおいて前記複数のアップリンク情報を送信することを示すことに用いられる場合、物理アップリンク共有チャネルＰＵＳＣＨにおいて、前記ネットワーク装置へ前記複数のアップリンク情報を送信し、前記複数のアップリンク情報はアップリンクデータを含み、又は、前記複数のアップリンク情報は前記アップリンクデータ、並びに前記複数のダウンリンクのうちの各ダウンリンクに対応する肯定応答／否定応答情報、及び前記複数のダウンリンクのうちの各ダウンリンクに対応するチャネル状態情報ＣＳＩのうちの少なくとも１つを含むことを含むことを特徴とする請求項１６〜１９のいずれか１項に記載の方法。
【請求項２２】
前記第１指示情報に基づき、前記ネットワーク装置へ前記複数のアップリンク情報を送信する前に、前記方法は、更に、
前記ネットワーク装置から送信されたアップリンクデータのアップリンクグラントＵＬ  ｇｒａｎｔメッセージを受信することを含み、
前記第１指示情報に基づき、前記ネットワーク装置へ前記複数のアップリンク情報を送信することは、
前記第１指示情報及び前記ＵＬ  ｇｒａｎｔメッセージに基づき、前記ネットワーク装置へ前記複数のアップリンク情報を送信することを含むことを特徴とする請求項２１に記載の方法。
【請求項２３】
前記ネットワーク装置から送信されたアップリンクデータのアップリンクグラントＵＬ  ｇｒａｎｔメッセージを受信することは、
前記ネットワーク装置から送信された、前記ＵＬ  ｇｒａｎｔメッセージを含む第２ダウンリンク制御情報ＤＣＩを受信することを含むことを特徴とする請求項２２に記載の方法。
【請求項２４】
前記ネットワーク装置から送信された第２ダウンリンク制御情報ＤＣＩを受信することは、
前記複数のダウンリンクのうちのいずれか１つのダウンリンクに対応する制御チャネルにおいて、前記ネットワーク装置から送信された前記第２ＤＣＩを受信し、又は、前記複数のダウンリンクのうちの第２ダウンリンクに対応する制御チャネルにおいて、前記ネットワーク装置から送信された前記第２ＤＣＩを受信し、又は、前記複数のダウンリンクのうちの各ダウンリンクに対応する制御チャネルにおいて、前記ネットワーク装置から送信された前記第２ＤＣＩを受信することを含むことを特徴とする請求項２３に記載の方法。
【請求項２５】
前記ネットワーク装置から送信された第２ダウンリンク制御情報ＤＣＩを受信することは、
前記複数のダウンリンクのうちの少なくとも１つのダウンリンクに対応する制御チャネルにおいて、前記ネットワーク装置から送信された前記第２ＤＣＩを受信することを含むことを特徴とする請求項２３に記載の方法。
【請求項２６】
前記ネットワーク装置から送信された第２ダウンリンク制御情報ＤＣＩを受信する前に、前記方法は、更に、
前記ネットワーク装置から送信された第２指示情報を受信し、前記第２指示情報は前記端末装置が前記少なくとも１つのダウンリンクにおいて前記ネットワーク装置から送信された前記第２ＤＣＩを受信することを示すことに用いられ、前記少なくとも１つのダウンリンクは、前記ネットワーク装置が前記複数のダウンリンクから選択したダウンリンクであることを含み、
前記複数のダウンリンクのうちの少なくとも１つのダウンリンクに対応する制御チャネルにおいて、前記ネットワーク装置から送信された前記第２ＤＣＩを受信することは、
前記第２指示情報に基づき、前記少なくとも１つのダウンリンクに対応する制御チャネルにおいて、前記ネットワーク装置から送信された前記第２ＤＣＩを受信することを含むことを特徴とする請求項２５に記載の方法。
【請求項２７】
前記ネットワーク装置から送信されたダウンリンク制御情報ＤＣＩを受信する前に、前記方法は、更に、
前記複数のダウンリンクから前記少なくとも１つのダウンリンクを選択することを含むことを特徴とする請求項２５に記載の方法。
【請求項２８】
前記複数のダウンリンクから前記少なくとも１つのダウンリンクを選択することは、
前記複数のダウンリンクの品質情報及び／又は負荷情報に基づき、前記複数のダウンリンクから前記少なくとも１つのダウンリンクを選択することを含むことを特徴とする請求項２７に記載の方法。
【請求項２９】
ネットワーク装置であって、
端末装置が複数のアップリンクチャネルにおいて複数のダウンリンクに対応する複数のアップリンク情報を同時に送信すること、又は、端末装置が複数のアップリンクチャネルにおいて時分割多重化方式で前記複数のアップリンク情報を送信すること、又は、前記端末装置が前記複数のアップリンクチャネルのうちの第１アップリンクチャネルにおいて前記複数のアップリンク情報を送信することを示すための第１指示情報を生成するための生成ユニットと、
前記端末装置へ前記第１指示情報を送信するための送受信ユニットと、を備えることを特徴とするネットワーク装置。
【請求項３０】
前記生成ユニットは、具体的に、
前記複数のダウンリンクに対応する複数の送受信ポイントＴＲＰ間のインタラクション能力、前記複数のダウンリンクに対応する複数のビーム間のインタラクション能力、前記複数のＴＲＰの属する複数のセル間のインタラクション能力、前記複数のビームの属する複数のセル間のインタラクション能力、前記端末装置の報告情報、前記複数のダウンリンクのサービス情報及びネットワーク負荷情報のうちの少なくとも１つに基づき、前記第１指示情報を生成することに用いられることを特徴とする請求項２９に記載のネットワーク装置。
【請求項３１】
前記報告情報は、
前記端末装置が前記複数のアップリンクチャネルにおいて前記複数のアップリンク情報を送信することをサポートするかどうかを示すための能力情報、前記端末装置の複数入力複数出力ＭＩＭＯ能力の情報、前記端末装置のレベル情報及び前記端末装置のパワーヘッドルーム報告ＰＨＲのうちの少なくとも１つを含むことを特徴とする請求項３０に記載のネットワーク装置。
【請求項３２】
前記送受信ユニットは、具体的に、
前記第１指示情報を含む無線リソース制御ＲＲＣシグナリングを前記端末装置に送信し、又は、前記第１指示情報を含む媒体アクセス制御ＭＡＣコントロールセルＣＥを前記端末装置に送信することに用いられることを特徴とする請求項２９〜３１のいずれか１項に記載のネットワーク装置。
【請求項３３】
前記送受信ユニットは、具体的に、
前記第１指示情報を含む第１ダウンリンク制御情報ＤＣＩを前記端末装置に送信することに用いられることを特徴とする請求項２９〜３１のいずれか１項に記載のネットワーク装置。
【請求項３４】
前記送受信ユニットは、更に、具体的に、
前記複数のダウンリンクのうちの各ダウンリンクに対応する制御チャネルにおいて、前記端末装置へ前記第１ＤＣＩを送信し、又は、前記複数のダウンリンクのうちの第１ダウンリンクに対応する制御チャネルにおいて、前記端末装置へ前記第１ＤＣＩを送信することに用いられることを特徴とする請求項３３に記載のネットワーク装置。
【請求項３５】
前記送受信ユニットは、更に、
前記端末装置から送信された前記複数のアップリンク情報を受信することに用いられることを特徴とする請求項２９〜３４のいずれか１項に記載のネットワーク装置。
【請求項３６】
前記送受信ユニットは、具体的に、
前記第１指示情報が、前記端末装置が前記複数のアップリンクチャネルのうちの第１アップリンクチャネルにおいて前記複数のアップリンク情報を送信することを示すことに用いられる場合、物理アップリンク制御チャネルＰＵＣＣＨにおいて、前記端末装置から送信された前記複数のアップリンク情報を受信し、前記複数のアップリンク情報は前記複数のダウンリンクのうちの各ダウンリンクに対応する肯定応答／否定応答情報、及び／又は、前記複数のダウンリンクのうちの各ダウンリンクに対応するチャネル状態情報ＣＳＩを含むことに用いられることを特徴とする請求項３５に記載のネットワーク装置。
【請求項３７】
前記送受信ユニットは、具体的に、
前記第１指示情報が、前記端末装置が前記複数のアップリンクチャネルのうちの第１アップリンクチャネルにおいて前記複数のアップリンク情報を送信することを示すことに用いられる場合、物理アップリンク共有チャネルＰＵＳＣＨにおいて、前記端末装置から送信された前記複数のアップリンク情報を受信し、前記複数のアップリンク情報はアップリンクデータを含み、又は、前記複数のアップリンク情報は前記アップリンクデータ、並びに前記複数のダウンリンクのうちの各ダウンリンクに対応する肯定応答／否定応答情報、及び前記複数のダウンリンクのうちの各ダウンリンクに対応するチャネル状態情報ＣＳＩのうちの少なくとも１つを含むことに用いられることを特徴とする請求項３５に記載のネットワーク装置。
【請求項３８】
前記送受信ユニットは、更に、
前記端末装置から送信された前記複数のアップリンク情報を受信する前に、前記端末装置へアップリンクデータのアップリンクグラントＵＬ  ｇｒａｎｔメッセージを送信することに用いられることを特徴とする請求項３７に記載のネットワーク装置。
【請求項３９】
前記端末装置へアップリンクデータのアップリンクグラントＵＬ  ｇｒａｎｔメッセージを送信することは、
前記ＵＬ  ｇｒａｎｔメッセージを含む第２ダウンリンク制御情報ＤＣＩを前記端末装置に送信することを含むことを特徴とする請求項３８に記載のネットワーク装置。
【請求項４０】
前記送受信ユニットは、具体的に、
前記複数のダウンリンクのうちの各ダウンリンクに対応する制御チャネルにおいて、前記端末装置へ前記第２ＤＣＩを送信し、又は、前記複数のダウンリンクのうちの第２ダウンリンクに対応する制御チャネルにおいて、前記端末装置へ前記第２ＤＣＩを送信することに用いられることを特徴とする請求項３９に記載のネットワーク装置。
【請求項４１】
前記送受信ユニットは、具体的に、
前記複数のダウンリンクから少なくとも１つのダウンリンクを選択し、
前記少なくとも１つのダウンリンクにおいて、前記端末装置へ前記第２ＤＣＩを送信することに用いられることを特徴とする請求項４０に記載のネットワーク装置。
【請求項４２】
前記生成ユニットは、更に、
前記端末装置へ第２ダウンリンク制御情報ＤＣＩを送信する前に、前記端末装置が前記少なくとも１つのダウンリンクにおいて前記第２ＤＣＩを受信することを示すための第２指示情報を生成することに用いられ、前記送受信ユニットは、更に、
前記端末装置へ前記第２指示情報を送信することに用いられることを特徴とする請求項４１に記載のネットワーク装置。
【請求項４３】
前記送受信ユニットは、具体的に、
前記複数のダウンリンクの品質情報及び／又は負荷情報に基づき、前記複数のダウンリンクから前記少なくとも１つのダウンリンクを選択することに用いられることを特徴とする請求項４１又は４２に記載のネットワーク装置。
【請求項４４】
端末装置であって、
ネットワーク装置から送信された、端末装置が複数のアップリンクチャネルにおいて複数のダウンリンクに対応する複数のアップリンク情報を同時に送信すること、又は、端末装置が複数のアップリンクチャネルにおいて時分割多重化方式で前記複数のアップリンク情報を送信すること、又は、前記端末装置が前記複数のアップリンクチャネルのうちの第１アップリンクチャネルにおいて前記複数のアップリンク情報を送信することを示すための第１指示情報を受信するための受信ユニットと、
前記第１指示情報に基づき、前記ネットワーク装置へ前記複数のアップリンク情報を送信するための送信ユニットと、を備えることを特徴とする端末装置。
【請求項４５】
前記受信ユニットは、具体的に、
前記ネットワーク装置から送信された、前記第１指示情報を含む無線リソース制御ＲＲＣシグナリングを受信し、又は、前記ネットワーク装置から送信された、前記第１指示情報を含む媒体アクセス制御ＭＡＣコントロールセルＣＥを受信することに用いられることを特徴とする請求項４４に記載の端末装置。
【請求項４６】
前記受信ユニットは、具体的に、
前記ネットワーク装置から送信された、前記第１指示情報を含む第１ダウンリンク制御情報ＤＣＩを受信することに用いられることを特徴とする請求項４４に記載の端末装置。
【請求項４７】
前記受信ユニットは、具体的に、
前記複数のダウンリンクのうちのいずれか１つのダウンリンクに対応する制御チャネルにおいて、前記ネットワーク装置から送信された前記第１ＤＣＩを受信し、又は、前記複数のダウンリンクのうちの第１ダウンリンクに対応する制御チャネルにおいて、前記ネットワーク装置から送信された前記第１ＤＣＩを受信することに用いられることを特徴とする請求項４６に記載の端末装置。
【請求項４８】
前記送信ユニットは、具体的に、
前記第１指示情報が、前記端末装置が前記複数のアップリンクチャネルのうちの第１アップリンクチャネルにおいて前記複数のアップリンク情報を送信することを示すことに用いられる場合、物理アップリンク制御チャネルＰＵＣＣＨにおいて前記複数のアップリンク情報を前記ネットワーク装置に送信し、前記複数のアップリンク情報は前記複数のダウンリンクのうちの各ダウンリンクに対応する肯定応答／否定応答情報、及び／又は、前記複数のダウンリンクのうちの各ダウンリンクに対応するチャネル状態情報ＣＳＩを含むことに用いられることを特徴とする請求項４４〜４７のいずれか１項に記載の端末装置。
【請求項４９】
前記送信ユニットは、具体的に、
前記第１指示情報が、前記端末装置が前記複数のアップリンクチャネルのうちの第１アップリンクチャネルにおいて前記複数のアップリンク情報を送信することを示すことに用いられる場合、物理アップリンク共有チャネルＰＵＳＣＨにおいて、前記ネットワーク装置へ前記複数のアップリンク情報を送信し、前記複数のアップリンク情報はアップリンクデータを含み、又は、前記複数のアップリンク情報は前記アップリンクデータ、並びに前記複数のダウンリンクのうちの各ダウンリンクに対応する肯定応答／否定応答情報、及び前記複数のダウンリンクのうちの各ダウンリンクに対応するチャネル状態情報ＣＳＩのうちの少なくとも１つを含むことに用いられることを特徴とする請求項４４〜４７のいずれか１項に記載の端末装置。
【請求項５０】
前記受信ユニットは、更に、
前記第１指示情報に基づき、前記ネットワーク装置へ前記複数のアップリンク情報を送信する前に、前記ネットワーク装置から送信されたアップリンクデータのアップリンクグラントＵＬ  ｇｒａｎｔメッセージを受信することに用いられ、
前記送信ユニットは、更に、
前記第１指示情報及び前記ＵＬ  ｇｒａｎｔメッセージに基づき、前記ネットワーク装置へ前記複数のアップリンク情報を送信することに用いられることを特徴とする請求項４９に記載の端末装置。
【請求項５１】
前記受信ユニットは、具体的に、
前記ネットワーク装置から送信された、前記ＵＬ  ｇｒａｎｔメッセージを含む第２ダウンリンク制御情報ＤＣＩを受信することに用いられることを特徴とする請求項５０に記載の端末装置。
【請求項５２】
前記受信ユニットは、具体的に、
前記複数のダウンリンクのうちのいずれか１つのダウンリンクに対応する制御チャネルにおいて、前記ネットワーク装置から送信された前記第２ＤＣＩを受信し、又は、前記複数のダウンリンクのうちの第２ダウンリンクに対応する制御チャネルにおいて、前記ネットワーク装置から送信された前記第２ＤＣＩを受信し、又は、前記複数のダウンリンクのうちの各ダウンリンクに対応する制御チャネルにおいて、前記ネットワーク装置から送信された前記第２ＤＣＩを受信することに用いられることを特徴とする請求項５１に記載の端末装置。
【請求項５３】
前記受信ユニットは、具体的に、
前記複数のダウンリンクのうちの少なくとも１つのダウンリンクに対応する制御チャネルにおいて、前記ネットワーク装置から送信された前記第２ＤＣＩを受信することに用いられることを特徴とする請求項５１に記載の端末装置。
【請求項５４】
前記受信ユニットは、更に、
前記ネットワーク装置から送信された第２ダウンリンク制御情報ＤＣＩを受信する前に、前記ネットワーク装置から送信された、前記端末装置が前記少なくとも１つのダウンリンクにおいて前記ネットワーク装置から送信された前記第２ＤＣＩを受信することを示すための第２指示情報を受信し、前記少なくとも１つのダウンリンクは、前記ネットワーク装置が前記複数のダウンリンクから選択したダウンリンクであることと、
前記第２指示情報に基づき、前記少なくとも１つのダウンリンクに対応する制御チャネルにおいて、前記ネットワーク装置から送信された前記第２ＤＣＩを受信することとに用いられることを特徴とする請求項５３に記載の端末装置。
【請求項５５】
前記受信ユニットは、更に、
前記ネットワーク装置から送信されたダウンリンク制御情報ＤＣＩを受信する前に、前記複数のダウンリンクから前記少なくとも１つのダウンリンクを選択することに用いられることを特徴とする請求項５３に記載の端末装置。
【請求項５６】
前記受信ユニットは、具体的に、
前記複数のダウンリンクの品質情報及び／又は負荷情報に基づき、前記複数のダウンリンクから前記少なくとも１つのダウンリンクを選択することに用いられることを特徴とする請求項５５に記載の端末装置。
【発明の詳細な説明】
【技術分野】
【０００１】
本発明の実施例は通信分野に関し、具体的に、データを伝送する方法、ネットワーク装置及び端末装置に関する。
【背景技術】
【０００２】
現在、新無線インターフェース（ＮＲ、Ｎｅｗ  Ｒａｄｉｏ）／第５世代移動通信技術（５Ｇ、５−Ｇｅｎｅｒａｔｉｏｎ）についての検討において、複数の送受信ポイント（ＴＲＰ、Ｔｒａｎｓｍｉｓｓｉｏｎ  Ｒｅｃｅｐｔｉｏｎ  Ｐｏｉｎｔ）又は複数のアンテナパネル（Ａｎｔｅｎｎａ  ｐａｎｅｌｓ）又は複数のビーム（ｂｅａｍ）が端末装置に同時に伝送する解決手段については、以下の２つの解決手段をサポートする。具体的には、第１解決手段としては、端末装置が１つのみの物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）を受信し、該ＰＤＣＣＨが複数のＴＲＰ／ｂｅａｍにおいて伝送されたデータに関連する指示情報を示す。第２解決手段としては、端末装置が異なるＴＲＰ／ｂｅａｍからの異なるＮＲ−ＰＤＣＣＨを受信し、各制御チャネルが１つの対応するデータ伝送に関連する指示情報を示す。
【０００３】
しかしながら、第２解決手段に対して、端末装置は同じキャリアにおいて複数のＰＤＣＣＨ／物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）を同時に検出する必要があり、且つ複数のダウンリンクに対応するアップリンクにおいてアップリンク情報を送信する必要があるため、端末装置の複雑性及び消費電力が高すぎる。
【発明の概要】
【発明が解決しようとする課題】
【０００４】
本発明は端末装置への要求を効果的に低くして、これにより端末装置の複雑性及び消費電力を低減することのできるデータを伝送する方法、ネットワーク装置及び端末装置を提供する。
【課題を解決するための手段】
【０００５】
第１態様では、データ伝送方法を提供し、前記方法は、
第１指示情報を生成し、前記第１指示情報は、端末装置が複数のアップリンクチャネルにおいて複数のダウンリンクに対応する複数のアップリンク情報を同時に送信すること、又は、端末装置が複数のアップリンクチャネルにおいて時分割多重化方式で前記複数のアップリンク情報を送信すること、又は、前記端末装置が前記複数のアップリンクチャネルのうちの第１アップリンクチャネルにおいて前記複数のアップリンク情報を送信することを示すことに用いられることと、
前記端末装置へ前記第１指示情報を送信することと、を含む。
【０００６】
本発明の実施例に係るアップリンク信号伝送方法はネットワーク装置が端末装置にアップリンク信号の伝送方式を指示することによって、端末装置の複雑性及び消費電力を効果的に低減することができる。
【０００７】
いくつかの可能な実現方式では、前記第１指示情報を生成することは、
前記複数のダウンリンクに対応する複数の送受信ポイントＴＲＰ間のインタラクション能力、前記複数のダウンリンクに対応する複数のビーム間のインタラクション能力、前記複数のＴＲＰの属する複数のセル間のインタラクション能力、前記複数のビームの属する複数のセル間のインタラクション能力、前記端末装置の報告情報、前記複数のダウンリンクのサービス情報及びネットワーク負荷情報のうちの少なくとも１つに基づき、前記第１指示情報を生成することを含む。
【０００８】
いくつかの可能な実現方式では、前記報告情報は、
前記端末装置が前記複数のアップリンクチャネルにおいて前記複数のアップリンク情報を送信することをサポートするかどうかを示すための能力情報、前記端末装置の複数入力複数出力ＭＩＭＯ能力の情報、前記端末装置のレベル情報及び前記端末装置のパワーヘッドルーム報告ＰＨＲのうちの少なくとも１つを含む。
【０００９】
いくつかの可能な実現方式では、前記端末装置へ前記第１指示情報を送信することは、
前記第１指示情報を含む無線リソース制御ＲＲＣシグナリングを前記端末装置に送信し、又は、前記第１指示情報を含む媒体アクセス制御ＭＡＣコントロールセルＣＥを前記端末装置に送信することを含む。
【００１０】
いくつかの可能な実現方式では、前記端末装置へ前記第１指示情報を送信することは、
第１ダウンリンク制御情報ＤＣＩを前記端末装置に送信し、前記第１ダウンリンク制御情報ＤＣＩは前記第１指示情報を含むことを含む。
【００１１】
いくつかの可能な実現方式では、前記端末装置へ第１ダウンリンク制御情報ＤＣＩを送信することは、
前記複数のダウンリンクのうちの各ダウンリンクに対応する制御チャネルにおいて、前記端末装置へ前記第１ＤＣＩを送信し、又は、前記複数のダウンリンクのうちの第１ダウンリンクに対応する制御チャネルにおいて、前記端末装置へ前記第１ＤＣＩを送信することを含む。
【００１２】
いくつかの可能な実現方式では、前記方法は、更に、
前記端末装置から送信された前記複数のアップリンク情報を受信することを含む。
【００１３】
いくつかの可能な実現方式では、前記端末装置から送信された前記複数のアップリンク情報を受信することは、
前記第１指示情報が、前記端末装置が前記複数のアップリンクチャネルのうちの第１アップリンクチャネルにおいて前記複数のアップリンク情報を送信することを示すことに用いられる場合、物理アップリンク制御チャネルＰＵＣＣＨにおいて、前記端末装置から送信された前記複数のアップリンク情報を受信し、前記複数のアップリンク情報は前記複数のダウンリンクのうちの各ダウンリンクに対応する肯定応答／否定応答情報、及び／又は、前記複数のダウンリンクのうちの各ダウンリンクに対応するチャネル状態情報ＣＳＩを含むことを含む。
【００１４】
いくつかの可能な実現方式では、前記端末装置から送信された前記複数のアップリンク情報を受信することは、
前記第１指示情報が、前記端末装置が前記複数のアップリンクチャネルのうちの第１アップリンクチャネルにおいて前記複数のアップリンク情報を送信することを示すことに用いられる場合、物理アップリンク共有チャネルＰＵＳＣＨにおいて、前記端末装置から送信された前記複数のアップリンク情報を受信し、前記複数のアップリンク情報はアップリンクデータを含み、又は、前記複数のアップリンク情報は前記アップリンクデータ、並びに前記複数のダウンリンクのうちの各ダウンリンクに対応する肯定応答／否定応答情報、及び前記複数のダウンリンクのうちの各ダウンリンクに対応するチャネル状態情報ＣＳＩのうちの少なくとも１つを含むことを含む。
【００１５】
いくつかの可能な実現方式では、前記端末装置から送信された前記複数のアップリンク情報を受信する前に、前記方法は、更に、
前記端末装置へアップリンクデータのアップリンクグラントＵＬ  ｇｒａｎｔメッセージを送信することを含む。
【００１６】
いくつかの可能な実現方式では、前記端末装置へアップリンクデータのアップリンクグラントＵＬ  ｇｒａｎｔメッセージを送信することは、
前記ＵＬ  ｇｒａｎｔメッセージを含む第２ダウンリンク制御情報ＤＣＩを前記端末装置に送信することを含む。
【００１７】
いくつかの可能な実現方式では、前記端末装置へ第２ダウンリンク制御情報ＤＣＩを送信することは、
前記複数のダウンリンクのうちの各ダウンリンクに対応する制御チャネルにおいて、前記端末装置へ前記第２ＤＣＩを送信し、又は、前記複数のダウンリンクのうちの第２ダウンリンクに対応する制御チャネルにおいて、前記端末装置へ前記第２ＤＣＩを送信することを含む。
【００１８】
本発明の実施例の方法は前記複数のダウンリンクのうちの各ダウンリンクに対応する制御チャネルにおいて、前記端末装置へ前記第２ＤＣＩを送信することにより、端末装置の検出成功率を効果的に向上させることができる。又は、前記複数のダウンリンクのうちの第２ダウンリンクに対応する制御チャネルにおいて、前記端末装置へ前記第２ＤＣＩを送信することにより、シグナリングオーバーヘッドを効果的に削減することができる。
【００１９】
いくつかの可能な実現方式では、前記端末装置へ第２ダウンリンク制御情報ＤＣＩを送信することは、
前記複数のダウンリンクから少なくとも１つのダウンリンクを選択することと、前記少なくとも１つのダウンリンクにおいて、前記端末装置へ前記第２ＤＣＩを送信することと、を含む。
【００２０】
いくつかの可能な実現方式では、前記端末装置へ第２ダウンリンク制御情報ＤＣＩを送信する前に、前記方法は、更に、
第２指示情報を生成し、前記第２指示情報は前記端末装置が前記少なくとも１つのダウンリンクにおいて前記第２ＤＣＩを受信することを示すことに用いられることと、前記端末装置へ前記第２指示情報を送信することと、を含む。
【００２１】
本発明の実施例の方法は端末装置の検出成功率を効果的に向上させることができる。
【００２２】
いくつかの可能な実現方式では、前記複数のダウンリンクから少なくとも１つのダウンリンクを選択することは、
前記複数のダウンリンクの品質情報及び／又は負荷情報に基づき、前記複数のダウンリンクから前記少なくとも１つのダウンリンクを選択することを含む。
【００２３】
第２態様では、データ伝送方法を提供し、
ネットワーク装置から送信された第１指示情報を受信し、前記第１指示情報は、端末装置が複数のアップリンクチャネルにおいて複数のダウンリンクに対応する複数のアップリンク情報を同時に送信すること、又は、端末装置が複数のアップリンクチャネルにおいて時分割多重化方式で前記複数のアップリンク情報を送信すること、又は、前記端末装置が前記複数のアップリンクチャネルのうちの第１アップリンクチャネルにおいて前記複数のアップリンク情報を送信することを示すことに用いられることと、
前記第１指示情報に基づき、前記ネットワーク装置へ前記複数のアップリンク情報を送信することと、を含む。
【００２４】
いくつかの可能な実現方式では、ネットワーク装置から送信された第１指示情報を受信することは、
前記ネットワーク装置から送信された、前記第１指示情報を含む無線リソース制御ＲＲＣシグナリングを受信し、又は、前記ネットワーク装置から送信された、前記第１指示情報を含む媒体アクセス制御ＭＡＣコントロールセルＣＥを受信することを含む。
【００２５】
いくつかの可能な実現方式では、ネットワーク装置から送信された第１指示情報を受信することは、
前記ネットワーク装置から送信された、前記第１指示情報を含む第１ダウンリンク制御情報ＤＣＩを受信することを含む。
【００２６】
いくつかの可能な実現方式では、前記ネットワーク装置から送信された第１ダウンリンク制御情報ＤＣＩを受信することは、
前記複数のダウンリンクのうちのいずれか１つのダウンリンクに対応する制御チャネルにおいて、前記ネットワーク装置から送信された前記第１ＤＣＩを受信し、又は、前記複数のダウンリンクのうちの第１ダウンリンクに対応する制御チャネルにおいて、前記ネットワーク装置から送信された前記第１ＤＣＩを受信することを含む。
【００２７】
いくつかの可能な実現方式では、前記第１指示情報に基づき、前記ネットワーク装置へ前記複数のアップリンク情報を送信することは、
前記第１指示情報が、前記端末装置が前記複数のアップリンクチャネルのうちの第１アップリンクチャネルにおいて前記複数のアップリンク情報を送信することを示すことに用いられる場合、物理アップリンク制御チャネルＰＵＣＣＨにおいて前記複数のアップリンク情報を前記ネットワーク装置に送信し、前記複数のアップリンク情報は前記複数のダウンリンクのうちの各ダウンリンクに対応する肯定応答／否定応答情報、及び／又は、前記複数のダウンリンクのうちの各ダウンリンクに対応するチャネル状態情報ＣＳＩを含むことを含む。
【００２８】
いくつかの可能な実現方式では、前記第１指示情報に基づき、前記ネットワーク装置へ前記複数のアップリンク情報を送信することは、
前記第１指示情報が、前記端末装置が前記複数のアップリンクチャネルのうちの第１アップリンクチャネルにおいて前記複数のアップリンク情報を送信することを示すことに用いられる場合、物理アップリンク共有チャネルＰＵＳＣＨにおいて、前記ネットワーク装置へ前記複数のアップリンク情報を送信し、前記複数のアップリンク情報はアップリンクデータを含み、又は、前記複数のアップリンク情報は前記アップリンクデータ、並びに前記複数のダウンリンクのうちの各ダウンリンクに対応する肯定応答／否定応答情報、及び前記複数のダウンリンクのうちの各ダウンリンクに対応するチャネル状態情報ＣＳＩのうちの少なくとも１つを含むことを含む。
【００２９】
いくつかの可能な実現方式では、前記第１指示情報に基づき、前記ネットワーク装置へ前記複数のアップリンク情報を送信する前に、前記方法は、更に、
前記ネットワーク装置から送信されたアップリンクデータのアップリンクグラントＵＬ  ｇｒａｎｔメッセージを受信することを含み、
前記第１指示情報に基づき、前記ネットワーク装置へ前記複数のアップリンク情報を送信することは、
前記第１指示情報及び前記ＵＬ  ｇｒａｎｔメッセージに基づき、前記ネットワーク装置へ前記複数のアップリンク情報を送信することを含む。
【００３０】
いくつかの可能な実現方式では、前記ネットワーク装置から送信されたアップリンクデータのアップリンクグラントＵＬ  ｇｒａｎｔメッセージを受信することは、
前記ネットワーク装置から送信された、前記ＵＬ  ｇｒａｎｔメッセージを含む第２ダウンリンク制御情報ＤＣＩを受信することを含む。
【００３１】
いくつかの可能な実現方式では、前記ネットワーク装置から送信された第２ダウンリンク制御情報ＤＣＩを受信することは、
前記複数のダウンリンクのうちのいずれか１つのダウンリンクに対応する制御チャネルにおいて、前記ネットワーク装置から送信された前記第２ＤＣＩを受信し、又は、前記複数のダウンリンクのうちの第２ダウンリンクに対応する制御チャネルにおいて、前記ネットワーク装置から送信された前記第２ＤＣＩを受信し、又は、前記複数のダウンリンクのうちの各ダウンリンクに対応する制御チャネルにおいて、前記ネットワーク装置から送信された前記第２ＤＣＩを受信することを含む。
【００３２】
いくつかの可能な実現方式では、前記ネットワーク装置から送信された第２ダウンリンク制御情報ＤＣＩを受信することは、
前記複数のダウンリンクのうちの少なくとも１つのダウンリンクに対応する制御チャネルにおいて、前記ネットワーク装置から送信された前記第２ＤＣＩを受信することを含む。
【００３３】
いくつかの可能な実現方式では、前記ネットワーク装置から送信された第２ダウンリンク制御情報ＤＣＩを受信する前に、前記方法は、更に、
前記ネットワーク装置から送信された第２指示情報を受信し、前記第２指示情報は前記端末装置が前記少なくとも１つのダウンリンクにおいて前記ネットワーク装置から送信された前記第２ＤＣＩを受信することを示すことに用いられ、前記少なくとも１つのダウンリンクは、前記ネットワーク装置が前記複数のダウンリンクから選択したダウンリンクであることを含み、前記複数のダウンリンクのうちの少なくとも１つのダウンリンクに対応する制御チャネルにおいて、前記ネットワーク装置から送信された前記第２ＤＣＩを受信することは、
前記第２指示情報に基づき、前記少なくとも１つのダウンリンクに対応する制御チャネルにおいて、前記ネットワーク装置から送信された前記第２ＤＣＩを受信することを含む。
【００３４】
いくつかの可能な実現方式では、前記ネットワーク装置から送信されたダウンリンク制御情報ＤＣＩを受信する前に、前記方法は、更に、
前記複数のダウンリンクから前記少なくとも１つのダウンリンクを選択することを含む。
【００３５】
いくつかの可能な実現方式では、前記複数のダウンリンクから前記少なくとも１つのダウンリンクを選択することは、
前記複数のダウンリンクの品質情報及び／又は負荷情報に基づき、前記複数のダウンリンクから前記少なくとも１つのダウンリンクを選択することを含む。
【００３６】
第３態様では、ネットワーク装置を提供し、
端末装置が複数のアップリンクチャネルにおいて複数のダウンリンクに対応する複数のアップリンク情報を同時に送信すること、又は、端末装置が複数のアップリンクチャネルにおいて時分割多重化方式で前記複数のアップリンク情報を送信すること、又は、前記端末装置が前記複数のアップリンクチャネルのうちの第１アップリンクチャネルにおいて前記複数のアップリンク情報を送信することを示すための第１指示情報を生成するための生成ユニットと、
前記端末装置へ前記第１指示情報を送信するための送受信ユニットと、を備える。
【００３７】
第４態様では、ネットワーク装置を提供し、
端末装置が複数のアップリンクチャネルにおいて複数のダウンリンクに対応する複数のアップリンク情報を同時に送信すること、又は、端末装置が複数のアップリンクチャネルにおいて時分割多重化方式で前記複数のアップリンク情報を送信すること、又は、前記端末装置が前記複数のアップリンクチャネルのうちの第１アップリンクチャネルにおいて前記複数のアップリンク情報を送信することを示すための第１指示情報を生成するためのプロセッサと、
前記端末装置へ前記第１指示情報を送信するための送受信機と、を備える。
【００３８】
第５態様では、端末装置を提供し、
ネットワーク装置から送信された、端末装置が複数のアップリンクチャネルにおいて複数のダウンリンクに対応する複数のアップリンク情報を同時に送信すること、又は、端末装置が複数のアップリンクチャネルにおいて時分割多重化方式で前記複数のアップリンク情報を送信すること、又は、前記端末装置が前記複数のアップリンクチャネルのうちの第１アップリンクチャネルにおいて前記複数のアップリンク情報を送信することを示すための第１指示情報を受信するための受信ユニットと、
前記第１指示情報に基づき、前記ネットワーク装置へ前記複数のアップリンク情報を送信するための送信ユニットと、を備える。
【００３９】
第６態様では、端末装置を提供し、前記端末装置は送受信機を備え、前記送受信機は、
ネットワーク装置から送信された、端末装置が複数のアップリンクチャネルにおいて複数のダウンリンクに対応する複数のアップリンク情報を同時に送信すること、又は、端末装置が複数のアップリンクチャネルにおいて時分割多重化方式で前記複数のアップリンク情報を送信すること、又は、前記端末装置が前記複数のアップリンクチャネルのうちの第１アップリンクチャネルにおいて前記複数のアップリンク情報を送信することを示すための第１指示情報を受信することと、
前記第１指示情報に基づき、前記ネットワーク装置へ前記複数のアップリンク情報を送信することとに用いられる。
【００４０】
第７態様では、コンピュータ可読媒体を提供し、前記コンピュータ可読媒体は上記第１態様又は第２態様の方法実施例を実行するための命令を含むコンピュータプログラムを記憶することに用いられる。
【００４１】
第８態様では、コンピュータチップを提供し、前記コンピュータチップは入力インターフェース、出力インターフェース、少なくとも１つのプロセッサ、メモリを備え、前記プロセッサは前記メモリにおけるコードを実行することに用いられ、前記コードが実行されるとき、前記プロセッサは上記第１態様及び様々な実現方式におけるデータ伝送方法におけるネットワーク装置の実行する各過程を実現することができる。
【００４２】
第９態様では、コンピュータチップを提供し、前記コンピュータチップは入力インターフェース、出力インターフェース、少なくとも１つのプロセッサ、メモリを備え、前記プロセッサは前記メモリにおけるコードを実行することに用いられ、前記コードが実行されるとき、前記プロセッサは上記第１態様及び様々な実現方式におけるデータ伝送方法における端末装置の実行する各過程を実現することができる。
【００４３】
第１０態様では、通信システムを提供し、前記通信システムは上記ネットワーク装置及び上記端末装置を備える。
【図面の簡単な説明】
【００４４】
【図１】図１は本発明の実施例の応用シーンの例を示す図である。
【図２】図２は本発明の実施例の応用シーンの例を示す図である。
【図３】図３は本発明の実施例のデータ伝送方法の模式的なフローチャートである。
【図４】図４は本発明の実施例のネットワーク装置の模式的なブロック図である。
【図５】図５は本発明の実施例のネットワーク装置の別の模式的なブロック図である。
【図６】図６は本発明の実施例の端末装置の模式的なブロック図である。
【図７】図７は本発明の実施例の端末装置の別の模式的なブロック図である。
【発明を実施するための形態】
【００４５】
以下、図面を参照しながら、本発明の実施例の技術案を説明する。
【００４６】
図１は本発明の実施例の５Ｇ通信システム１００の例を示す図である。
【００４７】
図１に示すように、通信システム１００は端末装置１１０、第１ＴＲＰ１２１及び第２ＴＲＰ１２２を備えてもよい。第１ＴＲＰ１２１及び第２ＴＲＰ１２２はそれぞれ無線インターフェースを介して端末装置１１０と通信することができる。具体的には、第１ＴＲＰ１２１及び第２ＴＲＰ１２２はそれぞれ単独に１つの端末装置１１０をスケジューリングしてデータ伝送を行わせることができる。
【００４８】
例えば、端末装置１１０は１つのスロットにおいてそれぞれ第１ＴＲＰ１２１及び第２ＴＲＰ１２２からのＰＤＣＣＨを検出し、これらのＰＤＣＣＨは複数の単独アップリンクデータ伝送をスケジューリングすることに用いられ、且つこれらの単独アップリンク伝送はちょうど同じスロットにスケジューリングされる可能性がある。
【００４９】
しかし、図１に示す通信システムにおいて、複数の通信シーンが存在しうる。
【００５０】
例えば、第１ＴＲＰ１２１及び第２ＴＲＰ１２２が同じセルに属し、且つ第１ＴＲＰ１２１と第２ＴＲＰ１２２との接続（ｂａｃｋｈａｕｌ）が理想的であり、つまり、情報インタラクションを迅速に動的に行うことができる。
【００５１】
更に、例えば、第１ＴＲＰ１２１及び第２ＴＲＰ１２２が同じセルに属し、且つ第１ＴＲＰ  １２１と第２ＴＲＰ  １２２との接続が理想的ではなく、つまり、第１ＴＲＰ１２１と第２ＴＲＰ１２２とが情報を迅速に交換できず、比較的に低速でデータインタラクションを行うしかできない。
【００５２】
更に、例えば、第１ＴＲＰ１２１及び第２ＴＲＰ１２２が異なるセルに属し、且つ第１ＴＲＰ１２１と第２ＴＲＰ１２２との接続が理想的である。
【００５３】
更に、例えば、第１ＴＲＰ１２１及び第２ＴＲＰ１２２が異なるセルに属し、且つ第１ＴＲＰ１２１と第２ＴＲＰ１２２との接続が理想的ではない。
【００５４】
ネットワーク装置は複数のＴＲＰから異なるＮＲ−ＰＤＣＣＨ／ＮＲ−ＰＤＳＣＨを端末装置に送信することができ、つまり、端末装置が複数のダウンリンクによってダウンリンク情報を受信し、各ダウンリンクにはいずれも対応する伝送すべきアップリンク情報があり、アップリンク情報は少なくとも各ダウンリンクに対応する肯定応答／否定応答（ＡＣＫ／ＮＡＣＫ）、各ダウンリンクに対応するチャネル状態情報（ＣＳＩ、Ｃｈａｎｎｅｌ  Ｓｔａｔｅ  Ｉｎｆｏｒｍａｔｉｏｎ）等の報告情報、及びアップリンクデータのうちの１つを含む。
【００５５】
理解できるように、該端末装置１１０が更に複数のダウンリンクに対応するアップリンクにおいてアップリンク情報を送信する必要がある場合、端末装置の複雑性及び消費電力が高すぎる。
【００５６】
上記問題に対して、本発明の実施例はネットワーク装置が端末装置にアップリンク信号の伝送方式を指示することによって、端末装置の複雑性及び消費電力が高すぎることを効果的に低減することのできるアップリンク信号伝送方法を提供する。
【００５７】
理解されるべきように、本発明の実施例は５Ｇ通信システム１００を例として例示的に説明するが、本発明の実施例はこれに限らない。つまり、本発明の実施例の技術案は複数のネットワーク装置がそれぞれ単独に１つの端末をスケジューリングしてデータ伝送を行わせるいかなる通信システムにも適用できる。例えば、図１におけるＴＲＰをビーム（ｂｅａｍ）にした場合、それに対応して、図２に示される応用シーンの例を実現することができ、該シーンは端末装置１３０とネットワーク装置１４０を含み、端末装置１３０とネットワーク装置１４０との間には複数のビームが存在する。
【００５８】
例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等が挙げられる。
【００５９】
本発明はネットワーク装置及び端末装置を参照して各実施例を説明する。
【００６０】
ネットワーク装置１２０はネットワーク側のいずれか１つの信号を送信又は受信するためのエンティティを指してよい。例えば、マシン通信（ＭＴＣ）のユーザー装置、ＧＳＭ又はＣＤＭＡにおける基地局（ＢＴＳ、Ｂａｓｅ  Ｔｒａｎｓｃｅｉｖｅｒ  Ｓｔａｔｉｏｎ）、ＷＣＤＭＡにおける基地局（ＮｏｄｅＢ）、ＬＴＥにおける発展型基地局（ｅＮＢ又はｅＮｏｄｅＢ、Ｅｖｏｌｕｔｉｏｎａｌ  Ｎｏｄｅ  Ｂ）、５Ｇネットワークにおける基地局装置等であってよい。
【００６１】
なお、端末装置１１０はいかなる端末装置であってもよい。具体的に、端末装置１１０は無線アクセスネットワーク（ＲＡＮ、Ｒａｄｉｏ  Ａｃｃｅｓｓ  Ｎｅｔｗｏｒｋ）経由で１つ又は複数のコアネットワーク（Ｃｏｒｅ  Ｎｅｔｗｏｒｋ）と通信することができ、該端末装置１１０はアクセス端末、ユーザー装置（ＵＥ、Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスと称されてもよい。例えば、セルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス及び５Ｇネットワークにおける端末装置等であってよい。
【００６２】
図３は本発明の実施例のデータ伝送方法の模式的なフローチャートである。
【００６３】
図３に示すように、該方法は、
ネットワーク装置が第１指示情報を生成する２１０と、
該ネットワーク装置が端末装置へ該第１指示情報を送信する２２０と、
該端末装置が該第１指示情報に基づき、該ネットワーク装置へ複数のアップリンク情報を送信する２３０と、を含む。
【００６４】
具体的には、ネットワーク装置は第１指示情報を生成し、該第１指示情報は、端末装置が複数のアップリンクチャネルにおいて複数のダウンリンクに対応する複数のアップリンク情報を同時に送信すること、又は、端末装置が複数のアップリンクチャネルにおいて時分割多重化方式で該複数のアップリンク情報を送信すること、又は、該端末装置が該複数のアップリンクチャネルのうちの第１アップリンクチャネルにおいて該複数のアップリンク情報を送信することを示すことに用いられ、該ネットワーク装置は該端末装置へ該第１指示情報を送信する。
【００６５】
本発明の実施例において、該複数のアップリンクチャネルは該複数のダウンリンクに対応するアップリンクチャネルであり、該複数のダウンリンクは端末がダウンリンク情報を受信するリンクであり、各ダウンリンクにはいずれも対応する伝送すべきアップリンク情報がある。理解できるように、該第１指示情報は端末装置が複数の単独アップリンクチャネルにおいて各ダウンリンクに対応するアップロード情報を同時に送信することを示し、又は、該第１指示情報は端末装置が複数の単独アップリンクチャネルにおいて時分割多重化（ＴＤＭ）方式で各ダウンリンクに対応するアップロード情報を送信することを示し、又は、該第１指示情報は端末装置があるアップリンクチャネルを用いて複数のダウンリンクに対応するアップロード情報を一括伝送することを示す。
【００６６】
つまり、端末装置が該ネットワーク装置から送信された該第１指示情報を受信した後、該第１指示情報に基づき、該ネットワーク装置へ該複数のアップリンク情報を送信する。
【００６７】
以下、本発明の実施例におけるネットワーク装置が該第１指示情報を生成する方法を例示的に説明する。
【００６８】
選択肢として、ネットワーク装置は、
該複数のダウンリンクに対応する複数のＴＲＰ間のインタラクション能力、該複数のダウンリンクに対応する複数のビーム間のインタラクション能力、該複数のＴＲＰの属する複数のセル間のインタラクション能力、該複数のビームの属する複数のセル間のインタラクション能力、該端末装置の報告情報、該複数のダウンリンクのサービス情報及びネットワーク負荷情報のうちの少なくとも１つに基づき、該第１指示情報を生成することができる。
【００６９】
該報告情報は、
該端末装置が該複数のアップリンクチャネルにおいて該複数のアップリンク情報を送信することをサポートするかどうかを示すための能力情報、該端末装置の複数入力複数出力（ＭＩＭＯ、Ｍｕｌｔｉｐｌｅ−Ｉｎｐｕｔ  Ｍｕｌｔｉｐｌｅ−Ｏｕｔｐｕｔ）能力の情報、該端末装置のレベル情報及び該端末装置のパワーヘッドルーム報告ＰＨＲのうちの少なくとも１つを含んでもよい。
【００７０】
以下、ネットワーク装置が端末装置へ該第１指示情報を送信する実現方式を説明する。
【００７１】
一実施例として、例示的に、ネットワーク装置は該第１指示情報を含む無線リソース制御（ＲＲＣ、Ｒａｄｉｏ  Ｒｅｓｏｕｒｃｅ  Ｃｏｎｔｒｏｌ）シグナリングを該端末装置に送信することができ、又は、ネットワーク装置は該第１指示情報を含む媒体アクセス制御（ＭＡＣ、Ｍｅｄｉａ  Ａｃｃｅｓｓ  Ｃｏｎｔｒｏｌ）コントロールセル（ＣＥ、Ｃｏｎｔｒｏｌ  ｃｅｌｌ）を該端末装置に送信することができる。つまり、端末装置はＲＲＣシグナリング又はＭＡＣ  ＣＥによって該第１指示情報を取得することができる。
【００７２】
別の実施例として、例示的に、ネットワーク装置は該第１指示情報を含む第１ダウンリンク制御情報（ＤＣＩ、Ｄｏｗｎｌｉｎｋ  Ｃｏｎｔｒｏｌ  Ｉｎｆｏｒｍａｔｉｏｎ）を該端末装置に送信することができる。つまり、端末装置は該第１ＤＣＩによって該第１指示情報を取得することができる。
【００７３】
本発明の実施例において、ネットワーク装置が第１ＤＣＩによって該第１指示情報を送信するとき、該端末装置は１つのみのＮＲ−ＰＤＣＣＨを受信してもよく、このＮＲ−ＰＤＣＣＨは複数のＴＲＰ／ｂｅａｍにおいて伝送されたデータに関連する指示情報を示し、該端末装置は異なるＴＲＰ／ｂｅａｍからの異なるＮＲ−ＰＤＣＣＨを受信してもよく、各制御チャネルは複数のＴＲＰ／ｂｅａｍにおいて伝送されたデータに関連する指示情報を示す。
【００７４】
つまり、ネットワーク装置は該複数のダウンリンクのうちの各ダウンリンクに対応する制御チャネルにおいて、該端末装置へ該第１ＤＣＩを送信してもよく、又は、ネットワーク装置は該複数のダウンリンクのうちの第１ダウンリンクに対応する制御チャネルにおいて、該端末装置へ該第１ＤＣＩを送信してもよい。
【００７５】
例えば、ネットワーク装置が該複数のダウンリンクのうちの各ダウンリンクに対応する制御チャネルにおいて、該端末装置へ該第１ＤＣＩを送信する場合、該端末装置は該複数のダウンリンクのうちのいずれか１つのダウンリンクに対応する制御チャネルにおいて、該ネットワーク装置から送信された該第１ＤＣＩを受信することができる。
【００７６】
更に、例えば、ネットワーク装置が該複数のダウンリンクのうちの第１ダウンリンクに対応する制御チャネルにおいて、該端末装置へ該第１ＤＣＩを送信する場合、該端末装置は第１ダウンリンクに対応する制御チャネルにおいて、該ネットワーク装置から送信された該第１ＤＣＩを受信することができる。
【００７７】
本発明の実施例において、端末装置は該第１指示情報を受信した後、該第１指示情報に基づき、該ネットワーク装置へ該複数のアップリンク情報を送信することができる。
【００７８】
以下、端末装置の観点から端末装置が該第１指示情報を受信した後、該ネットワーク装置へ該複数のアップリンク情報を送信する実現方式を説明する。
【００７９】
一実施例として、例示的に、該第１指示情報が該端末装置が該複数のアップリンクチャネルのうちの第１アップリンクチャネルにおいて該複数のアップリンク情報を送信することを示すことに用いられる場合、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）において、該複数のアップリンク情報を該ネットワーク装置に送信し、該複数のアップリンク情報は該複数のダウンリンクのうちの各ダウンリンクに対応する肯定応答／否定応答情報、及び／又は、該複数のダウンリンクのうちの各ダウンリンクに対応するチャネル状態情報（ＣＳＩ、Ｃｈａｎｎｅｌ  Ｓｔａｔｅ  Ｉｎｆｏｒｍａｔｉｏｎ）を含む。
【００８０】
つまり、該第１指示情報が該端末装置が該複数のアップリンクチャネルのうちの第１アップリンクチャネルにおいて該複数のアップリンク情報を送信することを示すことに用いられる場合、ネットワーク装置はＰＵＣＣＨにおいて、該端末装置から送信された該複数のアップリンク情報を受信する可能性があり、該複数のアップリンク情報は該複数のダウンリンクのうちの各ダウンリンクに対応する肯定応答／否定応答情報、及び／又は、該複数のダウンリンクのうちの各ダウンリンクに対応するＣＳＩを含む。
【００８１】
別の実施例として、例示的に、該第１指示情報が該端末装置が該複数のアップリンクチャネルのうちの第１アップリンクチャネルにおいて該複数のアップリンク情報を送信することを示すことに用いられる場合、物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）において、該ネットワーク装置へ該複数のアップリンク情報を送信し、該複数のアップリンク情報はアップリンクデータを含み、又は、該複数のアップリンク情報は該アップリンクデータ、並びに該複数のダウンリンクのうちの各ダウンリンクに対応する肯定応答／否定応答情報、及び該複数のダウンリンクのうちの各ダウンリンクに対応するＣＳＩのうちの少なくとも１つを含む。
【００８２】
つまり、該第１指示情報が該端末装置が該複数のアップリンクチャネルのうちの第１アップリンクチャネルにおいて該複数のアップリンク情報を送信することを示すことに用いられる場合、ネットワーク装置はＰＵＳＣＨにおいて、該端末装置から送信された該複数のアップリンク情報を受信する可能性があり、該複数のアップリンク情報はアップリンクデータを含み、又は、該複数のアップリンク情報は該アップリンクデータ、並びに該複数のダウンリンクのうちの各ダウンリンクに対応する肯定応答／否定応答情報、及び該複数のダウンリンクのうちの各ダウンリンクに対応するＣＳＩのうちの少なくとも１つを含む。
【００８３】
理解されるべきように、本発明の実施例において、端末装置がネットワーク装置へアップリンクデータを送信する必要があり、つまり、該複数のアップリンク情報にアップリンクデータが含まれる必要がある場合、該端末装置は該ネットワーク装置へ該複数のアップリンク情報を送信する前に、更にネットワーク装置から送信された該アップリンクデータのアップリンクグラント（ＵＬ  ｇｒａｎｔ）メッセージを受信する必要がある。
【００８４】
具体的には、該端末装置は該ネットワーク装置へ該複数のアップリンク情報を送信する前に、該ネットワーク装置から送信されたアップリンクデータのＵＬ  ｇｒａｎｔメッセージを受信し、次に、該第１指示情報及び該ＵＬ  ｇｒａｎｔメッセージに基づき、該ネットワーク装置へ該複数のアップリンク情報を送信する。
【００８５】
選択肢として、該端末装置は該ネットワーク装置から送信された、該ＵＬ  ｇｒａｎｔメッセージを含む第２ＤＣＩを受信する。つまり、該ネットワーク装置は該ＵＬ  ｇｒａｎｔメッセージを該第２ＤＣＩに含ませて該端末装置に送信することができる。
【００８６】
一実施例として、例示的に、該ネットワーク装置は該複数のダウンリンクのうちの各ダウンリンクに対応する制御チャネルにおいて、該端末装置へ該第２ＤＣＩを送信し、又は、該複数のダウンリンクのうちの第２ダウンリンクに対応する制御チャネルにおいて、該端末装置へ該第２ＤＣＩを送信することができる。
【００８７】
例えば、該ネットワーク装置が該複数のダウンリンクのうちの各ダウンリンクに対応する制御チャネルにおいて、該端末装置へ該第２ＤＣＩを送信する場合、該端末装置は該複数のダウンリンクのうちのいずれか１つのダウンリンクに対応する制御チャネルにおいて、該ネットワーク装置から送信された該第２ＤＣＩを受信することができる。本発明の実施例の方法は端末装置の検出成功率を効果的に向上させることができる。
【００８８】
更に、例えば、該ネットワーク装置が該複数のダウンリンクのうちの第２ダウンリンクに対応する制御チャネルにおいて、該端末装置へ該第２ＤＣＩを送信する場合、該端末装置は該複数のダウンリンクのうちの第２ダウンリンクに対応する制御チャネルにおいて、該ネットワーク装置から送信された該第２ＤＣＩを受信することができ、つまり、該ネットワーク装置と該端末装置はデフォルトとして該第２ダウンリンクに対応する制御チャネルにおいて、該第２ＤＣＩを伝送する。本発明の実施例の方法はシグナリングオーバーヘッドを効果的に削減することができる。
【００８９】
更に、例えば、該ネットワーク装置が該複数のダウンリンクのうちのいずれか１つのダウンリンクに対応する制御チャネルにおいて、該端末装置へ該第２ＤＣＩを送信する場合、該端末装置は該複数のダウンリンクのうちの各ダウンリンクに対応する制御チャネルにおいて、該ネットワーク装置から送信された該第２ＤＣＩを受信することができる。つまり、該端末装置は該複数のダウンリンクに対応する制御チャネルをブラインド検出することによって、該ネットワーク装置から送信された該第２ＤＣＩを受信する。本発明の実施例の方法はシグナリングオーバーヘッドを効果的に削減することができる。
【００９０】
別の実施例として、例示的に、該ネットワーク装置は該複数のダウンリンクから少なくとも１つのダウンリンクを選択し、次にこの少なくとも１つのダウンリンクにおいて、該端末装置へ該第２ＤＣＩを送信することができる。
【００９１】
例えば、該ネットワーク装置は該端末装置へ第２ダウンリンク制御情報ＤＣＩを送信する前に、該端末装置がこの少なくとも１つのダウンリンクにおいて該第２ＤＣＩを受信することを示すための第２指示情報を生成し、該端末装置へ該第２指示情報を送信する。この時、端末装置は該第２指示情報に基づき、上記少なくとも１つのダウンリンクに対応する制御チャネルにおいて、該ネットワーク装置から送信された該第２ＤＣＩを受信することができる。本発明の実施例の方法は端末装置の複雑性を更に低減することができる。
【００９２】
更に、例えば、該ネットワーク装置は該複数のダウンリンクの品質情報及び／又は負荷情報に基づき、該複数のダウンリンクから上記少なくとも１つのダウンリンクを選択することができる。この時、該端末装置も該複数のダウンリンクの品質情報及び／又は負荷情報に基づき、該複数のダウンリンクから上記少なくとも１つのダウンリンクを選択し、次に上記少なくとも１つのダウンリンクに対応する制御チャネルにおいて、該ネットワーク装置から送信された該第２ＤＣＩを受信することができる。本発明の実施例の方法は端末装置の検出成功率を効果的に向上させることができる。
【００９３】
理解されるべきように、上記ネットワーク装置が端末装置へＵＬ  ｇｒａｎｔメッセージを送信する方法は例示的な説明に過ぎず、本発明の実施例はこれに限らない。例えば、ネットワーク装置は更に端末装置と協議することにより、第２ＤＣＩを送信するためのダウンリンク等を決定することができる。
【００９４】
図４は本発明の実施例のネットワーク装置３００の模式的なブロック図である。
【００９５】
図４に示すように、該ネットワーク装置３００は、
端末装置が複数のアップリンクチャネルにおいて複数のダウンリンクに対応する複数のアップリンク情報を同時に送信すること、又は、端末装置が複数のアップリンクチャネルにおいて時分割多重化方式で該複数のアップリンク情報を送信すること、又は、該端末装置が該複数のアップリンクチャネルのうちの第１アップリンクチャネルにおいて該複数のアップリンク情報を送信することを示すための第１指示情報を生成するための生成ユニット３１０と、
該端末装置へ該第１指示情報を送信するための送受信ユニット３２０と、を備える。
【００９６】
選択肢として、該生成ユニット３１０は、具体的に、
該複数のダウンリンクに対応する複数の送受信ポイントＴＲＰ間のインタラクション能力、該複数のダウンリンクに対応する複数のビーム間のインタラクション能力、該複数のＴＲＰの属する複数のセル間のインタラクション能力、該複数のビームの属する複数のセル間のインタラクション能力、該端末装置の報告情報、該複数のダウンリンクのサービス情報及びネットワーク負荷情報のうちの少なくとも１つに基づき、該第１指示情報を生成することに用いられる。
【００９７】
選択肢として、該報告情報は、
該端末装置が該複数のアップリンクチャネルにおいて該複数のアップリンク情報を送信することをサポートするかどうかを示すための能力情報、該端末装置の複数入力複数出力ＭＩＭＯ能力の情報、該端末装置のレベル情報及び該端末装置のパワーヘッドルーム報告ＰＨＲのうちの少なくとも１つを含む。
【００９８】
選択肢として、該送受信ユニット３２０は、具体的に、
該第１指示情報を含む無線リソース制御ＲＲＣシグナリングを該端末装置に送信し、又は、該第１指示情報を含む媒体アクセス制御ＭＡＣコントロールセルＣＥを該端末装置に送信することに用いられる。
【００９９】
選択肢として、該送受信ユニット３２０は、具体的に、
該第１指示情報を含む第１ダウンリンク制御情報ＤＣＩを該端末装置に送信することに用いられる。
【０１００】
選択肢として、該送受信ユニット３２０は、更は、具体的に、
該複数のダウンリンクのうちの各ダウンリンクに対応する制御チャネルにおいて、該端末装置へ該第１ＤＣＩを送信し、又は、該複数のダウンリンクのうちの第１ダウンリンクに対応する制御チャネルにおいて、該端末装置へ該第１ＤＣＩを送信することに用いられる。
【０１０１】
選択肢として、該送受信ユニット３２０は、更に、
該端末装置から送信された該複数のアップリンク情報を受信することに用いられる。
【０１０２】
選択肢として、該送受信ユニット３２０は、具体的に、
該第１指示情報が、該端末装置が該複数のアップリンクチャネルのうちの第１アップリンクチャネルにおいて該複数のアップリンク情報を送信することを示すことに用いられる場合、物理アップリンク制御チャネルＰＵＣＣＨにおいて、該端末装置から送信された該複数のアップリンク情報を受信し、該複数のアップリンク情報は該複数のダウンリンクのうちの各ダウンリンクに対応する肯定応答／否定応答情報、及び／又は、該複数のダウンリンクのうちの各ダウンリンクに対応するチャネル状態情報ＣＳＩを含むことに用いられる。
【０１０３】
選択肢として、該送受信ユニット３２０は、具体的に、
該第１指示情報が、該端末装置が該複数のアップリンクチャネルのうちの第１アップリンクチャネルにおいて該複数のアップリンク情報を送信することを示すことに用いられる場合、物理アップリンク共有チャネルＰＵＳＣＨにおいて、該端末装置から送信された該複数のアップリンク情報を受信し、該複数のアップリンク情報はアップリンクデータを含み、又は、該複数のアップリンク情報は該アップリンクデータ、並びに該複数のダウンリンクのうちの各ダウンリンクに対応する肯定応答／否定応答情報、及び該複数のダウンリンクのうちの各ダウンリンクに対応するチャネル状態情報ＣＳＩのうちの少なくとも１つを含むことに用いられる。
【０１０４】
選択肢として、該送受信ユニット３２０は、更に、
該端末装置から送信された該複数のアップリンク情報を受信する前に、該端末装置へアップリンクデータのアップリンクグラントＵＬ  ｇｒａｎｔメッセージを送信することに用いられる。
【０１０５】
選択肢として、該端末装置へアップリンクデータのアップリンクグラントＵＬ  ｇｒａｎｔメッセージを送信することは、
該ＵＬ  ｇｒａｎｔメッセージを含む第２ダウンリンク制御情報ＤＣＩを該端末装置に送信することを含む。
【０１０６】
選択肢として、該送受信ユニット３２０は、具体的に、
該複数のダウンリンクのうちの各ダウンリンクに対応する制御チャネルにおいて、該端末装置へ該第２ＤＣＩを送信し、又は、該複数のダウンリンクのうちの第２ダウンリンクに対応する制御チャネルにおいて、該端末装置へ該第２ＤＣＩを送信することに用いられる。
【０１０７】
選択肢として、該送受信ユニット３２０は、具体的に、
該複数のダウンリンクから少なくとも１つのダウンリンクを選択し、上記少なくとも１つのダウンリンクにおいて、該端末装置へ該第２ＤＣＩを送信することに用いられる。
【０１０８】
選択肢として、該生成ユニット３１０は、更に、
該端末装置へ第２ダウンリンク制御情報ＤＣＩを送信する前に、該端末装置が上記少なくとも１つのダウンリンクにおいて該第２ＤＣＩを受信することを示すための第２指示情報を生成することに用いられ、該送受信ユニット３２０は、更に、
該端末装置へ該第２指示情報を送信することに用いられる。
【０１０９】
選択肢として、該送受信ユニット３２０は、具体的に、
該複数のダウンリンクの品質情報及び／又は負荷情報に基づき、該複数のダウンリンクから上記少なくとも１つのダウンリンクを選択することに用いられる。
【０１１０】
注意されるべきのように、本発明の実施例において、生成ユニット３１０はプロセッサにより実現されてもよく、送受信ユニット３２０は送受信機により実現されてもよい。図５に示すように、ネットワーク装置４００はプロセッサ４１０、送受信機４２０及びメモリ４３０を備えてもよい。メモリ４３０は指示情報を記憶することに用いられてもよく、更にプロセッサ４１０の実行するコード、命令等を記憶することに用いられてもよい。ネットワーク装置４００における各コンポーネントはバスシステムによって接続され、バスシステムはデータバスのほか、更に電源バス、制御バス及び状態信号バスを備える。
【０１１１】
図５に示されるネットワーク装置４００は前述の図３の方法実施例におけるネットワーク装置の実現する各過程を実現することができ、重複を避けるため、ここで詳細な説明は省略する。
【０１１２】
図６は本発明の実施例の端末装置５００の模式的なブロック図である。
【０１１３】
図６に示すように、該端末装置５００は、
ネットワーク装置から送信された、端末装置が複数のアップリンクチャネルにおいて複数のダウンリンクに対応する複数のアップリンク情報を同時に送信すること、又は、端末装置が複数のアップリンクチャネルにおいて時分割多重化方式で該複数のアップリンク情報を送信すること、又は、該端末装置が該複数のアップリンクチャネルのうちの第１アップリンクチャネルにおいて該複数のアップリンク情報を送信することを示すための第１指示情報を受信するための受信ユニット５１０と、
該第１指示情報に基づき、該ネットワーク装置へ該複数のアップリンク情報を送信するための送信ユニット５２０と、を備える。
【０１１４】
選択肢として、該受信ユニット５１０は、具体的に、
該ネットワーク装置から送信された、該第１指示情報を含む無線リソース制御ＲＲＣシグナリングを受信し、又は、該ネットワーク装置から送信された、該第１指示情報を含む媒体アクセス制御ＭＡＣコントロールセルＣＥを受信することに用いられる。
【０１１５】
選択肢として、該受信ユニット５１０は、具体的に、
該ネットワーク装置から送信された、該第１指示情報を含む第１ダウンリンク制御情報ＤＣＩを受信することに用いられる。
【０１１６】
選択肢として、該受信ユニット５１０は、具体的に、
該複数のダウンリンクのうちのいずれか１つのダウンリンクに対応する制御チャネルにおいて、該ネットワーク装置から送信された該第１ＤＣＩを受信し、又は、該複数のダウンリンクのうちの第１ダウンリンクに対応する制御チャネルにおいて、該ネットワーク装置から送信された該第１ＤＣＩを受信することに用いられる。
【０１１７】
選択肢として、該送信ユニット５２０は、具体的に、
該第１指示情報が、該端末装置が該複数のアップリンクチャネルのうちの第１アップリンクチャネルにおいて該複数のアップリンク情報を送信することを示すことに用いられる場合、物理アップリンク制御チャネルＰＵＣＣＨにおいて該複数のアップリンク情報を該ネットワーク装置に送信し、該複数のアップリンク情報は該複数のダウンリンクのうちの各ダウンリンクに対応する肯定応答／否定応答情報、及び／又は、該複数のダウンリンクのうちの各ダウンリンクに対応するチャネル状態情報ＣＳＩを含むことに用いられる。
【０１１８】
選択肢として、該送信ユニット５２０は、具体的に、
該第１指示情報が、該端末装置が該複数のアップリンクチャネルのうちの第１アップリンクチャネルにおいて該複数のアップリンク情報を送信することを示すことに用いられる場合、物理アップリンク共有チャネルＰＵＳＣＨにおいて、該ネットワーク装置へ該複数のアップリンク情報を送信し、該複数のアップリンク情報はアップリンクデータを含み、又は、該複数のアップリンク情報は該アップリンクデータ、並びに該複数のダウンリンクのうちの各ダウンリンクに対応する肯定応答／否定応答情報、及び該複数のダウンリンクのうちの各ダウンリンクに対応するチャネル状態情報ＣＳＩのうちの少なくとも１つを含むことに用いられる。
【０１１９】
選択肢として、該受信ユニット５１０は、更に、
該第１指示情報に基づき、該ネットワーク装置へ該複数のアップリンク情報を送信する前に、該ネットワーク装置から送信されたアップリンクデータのアップリンクグラントＵＬ  ｇｒａｎｔメッセージを受信することに用いられ、該送信ユニット５２０は、更に、
該第１指示情報及び該ＵＬ  ｇｒａｎｔメッセージに基づき、該ネットワーク装置へ該複数のアップリンク情報を送信することに用いられる。
【０１２０】
選択肢として、該受信ユニット５１０は、具体的に、
該ネットワーク装置から送信された、該ＵＬ  ｇｒａｎｔメッセージを含む第２ダウンリンク制御情報ＤＣＩを受信することに用いられる。
【０１２１】
選択肢として、該受信ユニット５１０は、具体的に、
該複数のダウンリンクのうちのいずれか１つのダウンリンクに対応する制御チャネルにおいて、該ネットワーク装置から送信された該第２ＤＣＩを受信し、又は、該複数のダウンリンクのうちの第２ダウンリンクに対応する制御チャネルにおいて、該ネットワーク装置から送信された該第２ＤＣＩを受信し、又は、該複数のダウンリンクのうちの各ダウンリンクに対応する制御チャネルにおいて、該ネットワーク装置から送信された該第２ＤＣＩを受信することに用いられる。
【０１２２】
選択肢として、該受信ユニット５１０は、具体的に、
該複数のダウンリンクにおける少なくとも１つのダウンリンクに対応する制御チャネルにおいて、該ネットワーク装置から送信された該第２ＤＣＩを受信することに用いられる。
【０１２３】
選択肢として、該受信ユニット５１０は、更に、
該ネットワーク装置から送信された第２ダウンリンク制御情報ＤＣＩを受信する前に、該ネットワーク装置から送信された、該端末装置が上記少なくとも１つのダウンリンクにおいて該ネットワーク装置から送信された該第２ＤＣＩを受信することを示すための第２指示情報を受信し、上記少なくとも１つのダウンリンクは、該ネットワーク装置が該複数のダウンリンクから選択したダウンリンクであることと、
該第２指示情報に基づき、上記少なくとも１つのダウンリンクに対応する制御チャネルにおいて、該ネットワーク装置から送信された該第２ＤＣＩを受信することとに用いられる。
【０１２４】
選択肢として、該受信ユニット５１０は、更に、
該ネットワーク装置から送信されたダウンリンク制御情報ＤＣＩを受信する前に、該複数のダウンリンクから上記少なくとも１つのダウンリンクを選択することに用いられる。
【０１２５】
選択肢として、該受信ユニット５１０は、具体的に、
該複数のダウンリンクの品質情報及び／又は負荷情報に基づき、該複数のダウンリンクから上記少なくとも１つのダウンリンクを選択することに用いられる。
【０１２６】
注意されるべきのように、本発明の実施例において、受信ユニット５１０及び送信ユニット５２０はいずれも送受信機により実現されてもよい。図７に示すように、端末装置６００はプロセッサ６１０、送受信機６２０及びメモリ６３０を備えてもよい。メモリ６３０は指示情報を記憶することに用いられてもよく、更にプロセッサ６１０の実行するコード、命令等を記憶することに用いられてもよい。端末装置６００における各コンポーネントはバスシステムによって接続され、バスシステムはデータバスのほか、更に電源バス、制御バス及び状態信号バスを備える。
【０１２７】
図７に示される端末装置６００は前述の図３の方法実施例における端末装置の実現する各過程を実現することができ、重複を避けるため、ここで詳細な説明は省略する。
【０１２８】
つまり、本発明の実施例における方法実施例はプロセッサに適用されてもよいし、又はプロセッサにより実現されてもよい。プロセッサは信号処理機能を有する集積回路チップでありうる。実現過程において、上記方法実施例の各ステップはプロセッサにおけるハードウェアの集積論理回路又はソフトウェア形式の命令で遂行されてもよい。上記プロセッサは汎用プロセッサ、デジタル信号プロセッサ（ＤＳＰ、ｄｉｇｉｔａｌ  ｓｉｇｎａｌ  ｐｒｏｃｅｓｓｏｒ）、特定用途向け集積回路（ＡＳＩＣ、ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ、ｆｉｅｌｄ  ｐｒｏｇｒａｍｍａｂｌｅ  ｇａｔｅ  ａｒｒａｙ）又は他のプログラマブルロジックデバイス、トランジスタロジックデバイス、個別ハードウェアコンポーネントであってもよい。本発明の実施例に開示される各方法、ステップ及び論理ブロック図を実現又は実行することができる。汎用プロセッサはマイクロプロセッサであってもよく、又は該プロセッサは更にいかなる通常のプロセッサ等であってもよい。本発明の実施例に開示される方法のステップはハードウェア復号プロセッサで遂行し、又は復号プロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサがメモリにおける情報を読み取り、そのハードウェアと組み合わせて上記方法のステップを遂行する。
【０１２９】
理解できるように、本発明の実施例において、メモリは揮発性メモリであっても又は不揮発性メモリであってもよく、又は、揮発性メモリ及び不揮発性メモリの両方を含んでもよい。不揮発性メモリは読み出し専用メモリ（ＲＯＭ、ｒｅａｄ−ｏｎｌｙ  ｍｅｍｏｒｙ）、プログラム可能読み出し専用メモリ（ＰＲＯＭ、ｐｒｏｇｒａｍｍａｂｌｅ  ＲＯＭ）、消去可能プログラム可能読み出し専用メモリ（ＥＰＲＯＭ、ｅｒａｓａｂｌｅ  ＰＲＯＭ）、電気的消去可能プログラム可能読み出し専用メモリ（ＥＥＰＲＯＭ、ｅｌｅｃｔｒｉｃａｌｌｙ  ＥＰＲＯＭ）又はフラッシュメモリであってよい。揮発性メモリは外部キャッシュメモリとして使用されるランダムアクセスメモリ（ＲＡＭ、ｒａｎｄｏｍ  ａｃｃｅｓｓ  ｍｅｍｏｒｙ）であってよい。例示的な説明であって制限的ではないが、多くの形式のＲＡＭ、例えばスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）が利用可能である。注意されるべきのように、本明細書に説明されるシステム及び方法のメモリはこれらのメモリ及び任意の他の適切なタイプのメモリを含んでもよいが、それらに限らないように意図されている。
【０１３０】
最後に、注意されるべきのように、本発明の実施例及び添付の特許請求の範囲に使用される用語は特定の実施例を説明するためのものであり、本発明の実施例を制限するためのものではない。
【０１３１】
例えば、上下の文脈で他の意味を明確に示されない限り、本発明の実施例及び添付の特許請求の範囲に使用される単数形式の「１つ」「前記」及び「該」は複数形式も含むように意図されている。
【０１３２】
更に、例えば、本発明の実施例において用語「第１タイプのセル群」「第２タイプのセル群」を用いる可能性があるが、これらのタイプのセル群はこれらの用語に限らない。これらの用語は異なるタイプのセル群を区別するためのものに過ぎない。
【０１３３】
更に、例えば、コンテクストによって、ここで使用される用語「○○時」は「○○場合」「○○であれば」「○○際に」「決定に応答する」又は「検出に応答する」と解釈されてもよい。それと似ていて、コンテクストによって、連語「決定すれば」「（陳述した条件又はイベントを）検出すれば」は「決定したとき」「決定に応答する」「（陳述した条件又はイベントを）検出する場合」「（陳述した条件又はイベントの）検出に応答する」と解釈されてもよい。
【０１３４】
当業者であれば意識できるように、本明細書に開示される実施例を参照して説明した各例示的なユニット及びアルゴリズムステップは、電子ハードウェア、又はコンピュータソフトウェアと電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本発明の実施例の範囲を超えるものと見なされるべきではない。
【０１３５】
当業者であれば明確に理解できるように、説明を容易且つ簡単にするために、上記説明されたシステム、装置及びユニットの具体的な動作過程は、前述の方法実施例における対応過程を参照してもよく、ここで詳細な説明は省略する。
【０１３６】
本願に係るいくつかの実施例において、理解されるべきように、開示されるシステム、装置及び方法は他の方式で実現されてもよい。例えば、以上に説明された装置実施例は模式的なものに過ぎず、例えば、前記ユニットの区分は論理機能上の区分に過ぎず、実際に実現するとき、他の区分方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってよい。
【０１３７】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本発明の実施例の目的を実現してよい。
【０１３８】
また、本発明の各実施例において、各機能ユニットは１つの処理ユニットに統合されてもよく、各ユニットは独立して物理的に存在してもよく、２つ又は２つ以上のユニットが１つのユニットに統合されてもよい。
【０１３９】
ソフトウェア機能ユニットの形式で実現され、且つ独立した製品として販売又は使用されるとき、１つのコンピュータ可読記憶媒体に記憶されてもよい。このような理解に基づき、本発明の実施例の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等であってよい）に本発明の実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ、ランダムアクセスメモリ、磁気ディスク又は光ディスク等のプログラムコードを記憶できる様々な媒体を含む。
【０１４０】
以上の説明は本発明の実施例の具体的な実施形態に過ぎず、本発明の実施例の保護範囲を制限するためのものではなく、当業者が本発明の実施例に開示される技術的範囲内に容易に想到し得る変更や置換は、いずれも本発明の実施例の保護範囲内に含まれるべきである。従って、本発明の実施例の保護範囲は特許請求の範囲に準じるべきである。
【図１】
2020535668.tif 000003
【図２】
2020535668.tif 000004
【図３】
2020535668.tif 000005
【図４】
2020535668.tif 000006
【図５】
2020535668.tif 000007
【図６】
2020535668.tif 000008
【図７】
2020535668.tif 000009
【手続補正書】
【提出日】令和2年7月30日(2020.7.30)
【手続補正１】
【補正対象書類名】明細書
【補正対象項目名】０００６
【補正方法】変更
【補正の内容】
【０００６】
本発明の実施例に係るデータを伝送する方法はネットワーク装置が端末装置にアップリンク信号の伝送方式を指示することによって、端末装置の複雑性及び消費電力を効果的に低減することができる。
【手続補正２】
【補正対象書類名】明細書
【補正対象項目名】００４２
【補正方法】変更
【補正の内容】
【００４２】
第９態様では、コンピュータチップを提供し、前記コンピュータチップは入力インターフェース、出力インターフェース、少なくとも１つのプロセッサ、メモリを備え、前記プロセッサは前記メモリにおけるコードを実行することに用いられ、前記コードが実行されるとき、前記プロセッサは上記第２態様及び様々な実現方式におけるデータ伝送方法における端末装置の実行する各過程を実現することができる。
【手続補正３】
【補正対象書類名】明細書
【補正対象項目名】００５６
【補正方法】変更
【補正の内容】
【００５６】
上記問題に対して、本発明の実施例はネットワーク装置が端末装置にアップリンク信号の伝送方式を指示することによって、端末装置の複雑性及び消費電力が高すぎることを効果的に低減することのできるデータを伝送する方法を提供する。
【手続補正４】
【補正対象書類名】明細書
【補正対象項目名】００６０
【補正方法】変更
【補正の内容】
【００６０】
ネットワーク装置１４０はネットワーク側のいずれか１つの信号を送信又は受信するためのエンティティを指してよい。例えば、マシン通信（ＭＴＣ）のユーザー装置、ＧＳＭ又はＣＤＭＡにおける基地局（ＢＴＳ、Ｂａｓｅ  Ｔｒａｎｓｃｅｉｖｅｒ  Ｓｔａｔｉｏｎ）、ＷＣＤＭＡにおける基地局（ＮｏｄｅＢ）、ＬＴＥにおける発展型基地局（ｅＮＢ又はｅＮｏｄｅＢ、Ｅｖｏｌｕｔｉｏｎａｌ  Ｎｏｄｅ  Ｂ）、５Ｇネットワークにおける基地局装置等であってよい。
【手続補正５】
【補正対象書類名】明細書
【補正対象項目名】００６５
【補正方法】変更
【補正の内容】
【００６５】
本発明の実施例において、該複数のアップリンクチャネルは該複数のダウンリンクに対応するアップリンクチャネルであり、該複数のダウンリンクは端末がダウンリンク情報を受信するリンクであり、各ダウンリンクにはいずれも対応する伝送すべきアップリンク情報がある。理解できるように、該第１指示情報は端末装置が複数の単独アップリンクチャネルにおいて各ダウンリンクに対応するアップリンク情報を同時に送信することを示し、又は、該第１指示情報は端末装置が複数の単独アップリンクチャネルにおいて時分割多重化（ＴＤＭ）方式で各ダウンリンクに対応するアップリンク情報を送信することを示し、又は、該第１指示情報は端末装置があるアップリンクチャネルを用いて複数のダウンリンクに対応するアップリンク情報を一括伝送することを示す。
【手続補正６】
【補正対象書類名】特許請求の範囲
【補正対象項目名】全文
【補正方法】変更
【補正の内容】
【特許請求の範囲】
【請求項１】
データ伝送方法であって、
第１指示情報を生成し、前記第１指示情報は、端末装置が複数のアップリンクチャネルにおいて複数のダウンリンクに対応する複数のアップリンク情報を同時に送信すること、又は、端末装置が複数のアップリンクチャネルにおいて時分割多重化方式で前記複数のアップリンク情報を送信すること、又は、前記端末装置が前記複数のアップリンクチャネルのうちの第１アップリンクチャネルにおいて前記複数のアップリンク情報を送信することを示すことに用いられることと、
前記端末装置へ前記第１指示情報を送信することと、を含むことを特徴とするデータ伝送方法。
【請求項２】
ネットワーク装置であって、
端末装置が複数のアップリンクチャネルにおいて複数のダウンリンクに対応する複数のアップリンク情報を同時に送信すること、又は、端末装置が複数のアップリンクチャネルにおいて時分割多重化方式で前記複数のアップリンク情報を送信すること、又は、前記端末装置が前記複数のアップリンクチャネルのうちの第１アップリンクチャネルにおいて前記複数のアップリンク情報を送信することを示すための第１指示情報を生成するための生成ユニットと、
前記端末装置へ前記第１指示情報を送信するための送受信ユニットと、を備えることを特徴とするネットワーク装置。
【請求項３】
前記生成ユニットは、具体的に、
前記複数のダウンリンクに対応する複数の送受信ポイントＴＲＰ間のインタラクション能力、前記複数のダウンリンクに対応する複数のビーム間のインタラクション能力、複数のＴＲＰの属する複数のセル間のインタラクション能力、前記複数のビームの属する複数のセル間のインタラクション能力、前記端末装置の報告情報、前記複数のダウンリンクのサービス情報及びネットワーク負荷情報のうちの少なくとも１つに基づき、前記第１指示情報を生成することに用いられることを特徴とする請求項２に記載のネットワーク装置。
【請求項４】
前記報告情報は、
前記端末装置が前記複数のアップリンクチャネルにおいて前記複数のアップリンク情報を送信することをサポートするかどうかを示すための能力情報、前記端末装置の複数入力複数出力ＭＩＭＯ能力の情報、前記端末装置のレベル情報及び前記端末装置のパワーヘッドルーム報告ＰＨＲのうちの少なくとも１つを含むことを特徴とする請求項３に記載のネットワーク装置。
【請求項５】
前記送受信ユニットは、具体的に、
前記第１指示情報を含む無線リソース制御ＲＲＣシグナリングを前記端末装置に送信し、又は、前記第１指示情報を含む媒体アクセス制御ＭＡＣコントロールセルＣＥを前記端末装置に送信することに用いられることを特徴とする請求項２〜４のいずれか１項に記載のネットワーク装置。
【請求項６】
前記送受信ユニットは、具体的に、
前記第１指示情報を含む第１ダウンリンク制御情報ＤＣＩを前記端末装置に送信することに用いられることを特徴とする請求項２〜４のいずれか１項に記載のネットワーク装置。
【請求項７】
前記送受信ユニットは、更に、具体的に、
前記複数のダウンリンクのうちの各ダウンリンクに対応する制御チャネルにおいて、前記端末装置へ前記第１ＤＣＩを送信し、又は、前記複数のダウンリンクのうちの第１ダウンリンクに対応する制御チャネルにおいて、前記端末装置へ前記第１ＤＣＩを送信することに用いられることを特徴とする請求項６に記載のネットワーク装置。
【請求項８】
前記送受信ユニットは、更に、
前記端末装置から送信された前記複数のアップリンク情報を受信することに用いられることを特徴とする請求項２〜７のいずれか１項に記載のネットワーク装置。
【請求項９】
前記送受信ユニットは、具体的に、
前記第１指示情報が、前記端末装置が前記複数のアップリンクチャネルのうちの第１アップリンクチャネルにおいて前記複数のアップリンク情報を送信することを示すことに用いられる場合、物理アップリンク制御チャネルＰＵＣＣＨにおいて、前記端末装置から送信された前記複数のアップリンク情報を受信し、前記複数のアップリンク情報は前記複数のダウンリンクのうちの各ダウンリンクに対応する肯定応答／否定応答情報、及び／又は、前記複数のダウンリンクのうちの各ダウンリンクに対応するチャネル状態情報ＣＳＩを含むことに用いられ、
或いは、
前記送受信ユニットは、具体的に、
前記第１指示情報が、前記端末装置が前記複数のアップリンクチャネルのうちの第１アップリンクチャネルにおいて前記複数のアップリンク情報を送信することを示すことに用いられる場合、物理アップリンク共有チャネルＰＵＳＣＨにおいて、前記端末装置から送信された前記複数のアップリンク情報を受信し、前記複数のアップリンク情報はアップリンクデータを含み、又は、前記複数のアップリンク情報は前記アップリンクデータ、並びに前記複数のダウンリンクのうちの各ダウンリンクに対応する肯定応答／否定応答情報、及び前記複数のダウンリンクのうちの各ダウンリンクに対応するチャネル状態情報ＣＳＩのうちの少なくとも１つを含むことに用いられることを特徴とする請求項８に記載のネットワーク装置。
【請求項１０】
前記送受信ユニットは、更に、
前記端末装置から送信された前記複数のアップリンク情報を受信する前に、前記端末装置へアップリンクデータのアップリンクグラントＵＬ  ｇｒａｎｔメッセージを送信することに用いられることを特徴とする請求項９に記載のネットワーク装置。
【請求項１１】
端末装置であって、
ネットワーク装置から送信された、端末装置が複数のアップリンクチャネルにおいて複数のダウンリンクに対応する複数のアップリンク情報を同時に送信すること、又は、端末装置が複数のアップリンクチャネルにおいて時分割多重化方式で前記複数のアップリンク情報を送信すること、又は、前記端末装置が前記複数のアップリンクチャネルのうちの第１アップリンクチャネルにおいて前記複数のアップリンク情報を送信することを示すための第１指示情報を受信するための受信ユニットと、
前記第１指示情報に基づき、前記ネットワーク装置へ前記複数のアップリンク情報を送信するための送信ユニットと、を備えることを特徴とする端末装置。
【請求項１２】
前記受信ユニットは、具体的に、
前記ネットワーク装置から送信された、前記第１指示情報を含む無線リソース制御ＲＲＣシグナリングを受信し、又は、前記ネットワーク装置から送信された、前記第１指示情報を含む媒体アクセス制御ＭＡＣコントロールセルＣＥを受信することに用いられることを特徴とする請求項１１に記載の端末装置。
【請求項１３】
前記受信ユニットは、具体的に、
前記ネットワーク装置から送信された、前記第１指示情報を含む第１ダウンリンク制御情報ＤＣＩを受信することに用いられることを特徴とする請求項１１に記載の端末装置。
【請求項１４】
前記受信ユニットは、具体的に、
前記複数のダウンリンクのうちのいずれか１つのダウンリンクに対応する制御チャネルにおいて、前記ネットワーク装置から送信された前記第１ＤＣＩを受信し、又は、前記複数のダウンリンクのうちの第１ダウンリンクに対応する制御チャネルにおいて、前記ネットワーク装置から送信された前記第１ＤＣＩを受信することに用いられることを特徴とする請求項１３に記載の端末装置。
【請求項１５】
前記送信ユニットは、具体的に、
前記第１指示情報が、前記端末装置が前記複数のアップリンクチャネルのうちの第１アップリンクチャネルにおいて前記複数のアップリンク情報を送信することを示すことに用いられる場合、物理アップリンク制御チャネルＰＵＣＣＨにおいて前記複数のアップリンク情報を前記ネットワーク装置に送信し、前記複数のアップリンク情報は前記複数のダウンリンクのうちの各ダウンリンクに対応する肯定応答／否定応答情報、及び／又は、前記複数のダウンリンクのうちの各ダウンリンクに対応するチャネル状態情報ＣＳＩを含むことに用いられ、
或いは、
前記送信ユニットは、具体的に、
前記第１指示情報が、前記端末装置が前記複数のアップリンクチャネルのうちの第１アップリンクチャネルにおいて前記複数のアップリンク情報を送信することを示すことに用いられる場合、物理アップリンク共有チャネルＰＵＳＣＨにおいて、前記ネットワーク装置へ前記複数のアップリンク情報を送信し、前記複数のアップリンク情報はアップリンクデータを含み、又は、前記複数のアップリンク情報は前記アップリンクデータ、並びに前記複数のダウンリンクのうちの各ダウンリンクに対応する肯定応答／否定応答情報、及び前記複数のダウンリンクのうちの各ダウンリンクに対応するチャネル状態情報ＣＳＩのうちの少なくとも１つを含むことに用いられることを特徴とする請求項１１〜１４のいずれか１項に記載の端末装置。
【国際調査報告】
2020535668.tif 000010
2020535668.tif 000011
2020535668.tif 000012
2020535668.tif 000013